(57)【要約】【課題】外部電源を接続する必要がない車輪用発光装置を提供する。【解決手段】発光装置１および磁性部材２から構成され、車輪３上に発光装置１が固定され、発光装置１の座体１１内には誘導コイルセット１２が設けられ、誘導コイルセット１２には発光部材１３が電気的に接続され、車輪３の車輪軸３２上には複数の磁性部材２が環状に設置され、磁性部材２は発光装置１の誘導コイルセット１２と対応しており、車輪が回転したとき、発光装置１の誘導コイルセット１２が複数の磁性部材２上を回転移動し、誘導コイルセット１２と磁性部材２とがお互いに反応して電流が発生し、発光部材１３が発光して周囲に注意を促す効果を達成する。【選択図】  図２
0003121223.tif 000002
【実用新案登録請求の範囲】
【請求項１】
車輪上に発光装置が固定され、前記発光装置の座体内には誘導コイルセットが設けられ、前記誘導コイルセットには発光部材が電気的に接続され、前記車輪の車輪軸上には複数の磁性部材が環状に設置され、前記磁性部材は前記発光装置の誘導コイルセットと対応しており、前記車輪が回転したとき、前記発光装置の誘導コイルセットが前記複数の磁性部材上を回転移動し、誘導コイルセットと磁性部材とがお互いに反応して電流が発生し、発光部材が発光して周囲に注意を促す効果を達成することを特徴とする車輪用発光装置。
【請求項２】
前記誘導コイルセットおよび発光部材は、座体内に一体に封止されることを特徴とする請求項１記載の車輪用発光装置。
【請求項３】
前記発光装置の座体上には、光を通すケーシングが設けられ、前記ケーシングには発光部材が収容され、前記ケーシング外部には挟持部材が接合され、前記挟持部材がケーシングおよび座体を車輪のスポーク間に挟持固定することを特徴とする請求項１記載の車輪用発光装置。
【考案の詳細な説明】
【技術分野】
【０００１】
本考案は車輪用発光装置に関し、特に車輪回転時、発光装置が磁性部材上を回転移動することによって、磁性部材と発光装置内に設置された誘導コイルセットとが反応して電流が発生し、誘導コイルセットに接続された発光部材が発光して周囲へ注意を促す効果を達成する車輪用発光装置に関する。
【背景技術】
【０００２】
通常一般車両の車輪上には発光装置は設置されてなく、夜間走行時、明かりのない場所では車両の存在に気付かないために事故が発生することがある。そこで関連業者は車両の車輪上に光反射シートを貼設することによって暗闇における走行の安全性を高める方法を案出した。しかし、この種の光反射シートは外部からの光を反射するものであり、外部からの光があってはじめてその効果を発揮するものであり、仮に外部から光の照射がない場合、周囲へ注意を促す効果を発揮しないので、この種の光反射シートは改善の余地があった。
【０００３】
また、発光装置を車輪に設置して周囲へ注意を促すものがあり、通常は透光のケーシング内に回路板および発光体などの電子素子が設けられ、車両の車輪の適当な位置に設置して使用される。この種の従来技術による発光装置は外部の電源と接続され、制御スイッチによって発光が制御される。しかし、この種の発光装置の全体構造は複雑であり、コストも非常に高く、外接電源の問題を考慮する必要があり、実用的でない。従って、上述の従来技術の問題および欠点を如何に改善するかは関連技術に従事する業者の改善すべき研究課題であった。
【考案の開示】
【考案が解決しようとする課題】
【０００４】
本考案の考案者は上述の問題および欠点に鑑み、関連資料の収集、多方面に渡る研究、長年に渡る研究、弛まぬ試作と修正によってついに本考案を案出した。
本考案の目的は、固定された磁性部材と回転移動する発光装置とが対応しており、車輪回転時、車輪上に設置された発光装置が回転し、発光装置内に設置された誘導コイルセットと磁性部材とが反応して電流が発生し、誘導コイルセットに接続された発光部材が発光し、外部電源を接続する必要がなく、車輪の回転によって周囲に注意を促す光を発生させることができる車輪用発光装置を提供することにある。
【課題を解決するための手段】
【０００５】
前記課題を解決するために、請求項１の考案は、車輪上に発光装置が固定され、発光装置の座体内には誘導コイルセットが設けられ、誘導コイルセットには発光部材が電気的に接続され、車輪の車輪軸上には複数の磁性部材が環状に設置され、磁性部材は発光装置の誘導コイルセットと対応しており、車輪が回転したとき、発光装置の誘導コイルセットが複数の磁性部材上を回転移動し、誘導コイルセットと磁性部材とがお互いに反応して電流が発生し、発光部材が発光して周囲に注意を促す効果を達成することを特徴とする車輪用発光装置である。
【０００６】
請求項２の考案は、誘導コイルセットおよび発光部材は、座体内に一体に封止されることを特徴とする請求項１記載の車輪用発光装置である。
【０００７】
請求項３の考案は、発光装置の座体上には、光を通すケーシングが設けられ、ケーシングには発光部材が収容され、ケーシング外部には挟持部材が接合され、挟持部材がケーシングおよび座体を車輪のスポーク間に挟持固定することを特徴とする請求項１記載の車輪用発光装置である。
【考案の効果】
【０００８】
固定された磁性部材と回転移動する発光装置とが対応しており、車輪回転時、車輪上に設置された発光装置が回転し、発光装置内に設置された誘導コイルセットと磁性部材とが反応して電流が発生し、誘導コイルセットと接続された発光部材が発光し、外部電源を接続する必要がなく、車輪の回転によって周囲に注意を促す光を発生させることができる。
【考案を実施するための最良の形態】
【０００９】
本考案の目的、特徴および効果を示す実施例を図に沿って詳細に説明する。
【００１０】
図１は本考案による車輪用発光装置の立体分解図である。図２は本考案による車輪用発光装置の使用時の状態を示す模式図である。図から分かるように、本考案の車輪用発光装置は発光装置１および磁性部材２から構成される。主な特徴を詳細に述べると、発光装置１の座体１１内には誘導コイルセット１２が収容され、誘導コイルセット１２は金属部材１２１にコイル１２２が巻設されたものであり、誘導コイルセット１２のコイル１２２の末端は発光部材１３に接続される。発光部材１３は光ファイバ、ＬＥＤ、フルカラーＬＥＤまたは異なる色の高輝度のＬＥＤから構成される。座体１１の一側にはケーシング１４が接続され、ケーシング１４は透明、半透明、一部透明または各種の色の材質から構成される。誘導コイルセット１２に接続された発光部材１３はケーシング１４内に設置され、ケーシング１４外部には挟持部材１５が接合され、挟持部材１５によってケーシング１４は車輪３のスポーク３１間に挟持固定される。車輪３の車輪軸３２上には複数の磁性部材２が設置される。磁性部材２は環状フレーム４上に設置され、環状フレーム４によって磁性部材２は車輪３の車輪軸３２部分に嵌合固定される。使用時は挟持部材１５によってケーシング１４を車輪３のスポーク３１間に固定し、発光装置１の座体１１と磁性部材２とを対応させる。車輪３が回転したとき、発光装置１が回転し、発光装置１の誘導コイルセット１２が磁性部材２上を回転移動し、誘導コイルセット１２と磁性部材２とがお互いに反応して電流が発生し、ケーシング１４内の発光部材１３が発光する。車輪３が早く回転すればするほど、発生する電流は大きくなり、発光部材１３の輝度も明るくなる。車輪３が停止したとき、発光部材１３は発光しなくなる。車輪３が回転する動力によって発光装置１の誘導コイルセット１２が磁性部材２上を回転移動し、発光部材１３が発光し、走行中に周囲に注意を促す効果を発揮する。
【００１１】
上述のケーシング１４の長さは使用者の必要に合わせて予め調整でき、挟持部材１５によってスポーク３１間に固定される。光源は大きな面積で発光し、このような簡易な修飾および同等効果の変更はすべて本考案の範囲に含まれる。
【００１２】
図３本考案のもう一つの実施例を示す立体分解図である。図４本考案のもう一つの実施例の使用時の状態を示す模式図である。図から分かるように、本実施例における誘導コイルセット１２および接続された発光部材１３は座体１１内に一体に封止され、モジュール化された構造設計にすることができ、発光装置１は車輪３のスポーク３１上に固定され、磁性部材２は直接車輪３の車輪軸部分３２に固定され、発光装置１の誘導コイルセット１２部分に対応し、車輪３が回転したとき、発光装置１は車輪３の回転に沿って磁性部材２上を回転移動し、お互いに反応して電流が発生し、発光部材１３が発光して走行時に周囲に注意を促す。また、上述の詳細な説明における発光部材１および磁性部材２は発光装置１の誘導コイルセット１２が磁性部材２上を回転移動する方式に制限されず、磁性部材２を発光装置１の誘導コイルセット１２上で回転移動させ、車輪３の回転によって誘導コイルセット１２と磁性部材２とをお互いに反応させ電流を発生させる方式とすることもでき、この種の簡易な修飾および同等効果の変更はすべて本考案の範囲に含まれる。
【００１３】
また、本考案の上述の実施例において言及された発光装置１は車輪３上の所定位置に固定され、発光装置１と磁性部材２とを対応させて誘導電流を発生させるが、その固定手段はロック固定、挟持固定または嵌合固定などの方式が採用可能であり、磁性部材２が発光装置１上を回転移動すればよく、この種の簡易な修飾および同等効果の変更はすべて本考案の範囲に含まれる。
【００１４】
上述の詳細な説明は本考案の好適な実施例を説明したものであり、実施例は本考案の範囲を制限するものではなく、本考案の主旨を逸脱しない範囲において完成される同等効果の修飾および変更などはすべて本考案の範囲に含まれる。
【００１５】
上述のように本考案による車輪用発光装置は明らかに高い機能を備え、新規性、独創性および進歩性を備える。
【図面の簡単な説明】
【００１６】
【図１】本考案による車輪用発光装置の立体分解図である。
【図２】本考案による車輪用発光装置の使用時の状態を示す模式図である。
【図３】本考案のもう一つの実施例を示す立体分解図である。
【図４】本考案のもう一つの実施例の使用時の状態を示す模式図である。
【符号の説明】
【００１７】
１    発光装置
１１  座体
１３  発光部材
１２  誘導コイルセット
１２１金属部材
１２２コイル
１４  ケーシング
１５  挟持部材
２    磁性部材
３    車輪
３１  スポーク
３２  車輪軸
４    環状フレーム
【図１】
0003121223.tif 000003
【図２】
0003121223.tif 000004
【図３】
0003121223.tif 000005
【図４】
0003121223.tif 000006